(57)【要約】【解決手段】  ねじ込み可能なエノサル歯科インプラント（１）は、多条である切削ねじ配列（３）を有し且つ切削切欠き（１２）を備える放物線基体（２）と、上部材（４）と球状エノサル部材（１１）とを包含する。基体（２）におけるねじ配列（３）は放物線（Ｐ３）、（Ｐ４）により、ねじ尖端が放物線（Ｐ１）、（Ｐ２）により限定され、それらは歯科インプラント（１）の範囲の外部で交差点を形成し、この際にねじ配列（３）が上部材（４）にまで達しいる。ねじ面は２０度のねじ角度を有する。基体（２）から球状エノサル部材（１１）までの移行部が丸く形成される。切削切欠き（１２）は基体（２）の直径の１／３のそれぞれ一つ最大深さと切削切欠き（１２）間のそれぞれ残留するねじ配列（３）の幅と少なくとも同じ幅を有する。歯科インプラント（１）により顎骨に作用する圧縮力は増加するねじ込み深さにより不規則に零になり、エノサル領域内の確実な閉鎖が達成される。
2007531604.tif 000002
【特許請求の範囲】
【請求項１】
少なくとも二つの切削切欠き（１２）を備えて多条であって放物線ねじ基礎をもつ自己切削ねじ配列（３）を有する放物線基体（２）と、ねじ込み補助形状孔（７）と歯王冠、ブリッジなどを固定して定着するねじ（８）を備えて並びに球状エノサル部材（１１）と場合によっては円錐部材（１４）及びキャップ（１６）又はいずれか一方を備えるねじ配列（３）に対して冠状に設けられた上部材（４）とを備えるねじ込み可能なエノサル歯科インプラント（１）において、ねじ（３）に対して冠状に磨かれたネック部分（５）とその間に循環する溝を有する上部材（４）が円筒状に形成されており、基体（２）におけるねじ配列（３）が放物線（Ｐ３）、（Ｐ４）によりそしてねじ尖端が放物線（Ｐ１）、（Ｐ２）により限定され、それらは歯科インプラント（１）の範囲の外部で交差点を形成するので、ねじ配列（３）が先端から冠側へ人目につかない取り除きねじ深さをもって延びていて、この際にねじ配列（３）が上部材（４）にまで達しており、ねじ配列（３）のねじ面は２０度のねじ角度を有し、基体（２）から球状エノサル部材（１１）までの移行部が丸く形成され、そして切削切欠き（１２）は基体（２）の直径の１／３のそれぞれ一つ最大深さと切削切欠き（１２）間のそれぞれ残留するねじ配列（３）の幅と少なくとも同じ幅を有することを特徴とする歯科インプラント。
【請求項２】
円筒状上部材（４）はおよそ２ｍｍの高さを有することを特徴とする請求項１に記載の歯科インプラント。
【請求項３】
上部材（４）の中央には、円筒状孔（７）が設けられて、先端の方向にねじ（８）を開始し、６０度斜角面（１０）をもつ内部六角辺（９）に冠側に移行し、端面研磨で終了していることを特徴とする請求項１に記載の歯科インプラント。
【請求項４】
磨かれたネック部分（５）は円筒状上部材（４）にはおよそ０．７５ｍｍの高さを有することを特徴とする請求項１に記載の歯科インプラント。
【請求項５】
少なくとも三つの切削切欠き（１２）は先端から少なくとも第５ねじ路にまで生じることを特徴とする請求項１に記載の歯科インプラント。
【請求項６】
フランジ（１３）が上部材（４）に於ける遮断部として形成されていることを特徴とする請求項１に記載の歯科インプラント。
【請求項７】
バンド（１３）では、内部六角辺（９）をもつ円錐部材（１４）は空所（１５）とねじに接続することを特徴とする請求項６に記載の歯科インプラント。
【請求項８】
円錐部材（１４）は収容部であり、フランジ（１３）はキャップ（１６）の設置部であることを特徴とする請求項７に記載の歯科インプラント。
【請求項９】
キャップ（１６）は固定ねじによって固定されていることを特徴とする請求項８に記載の歯科インプラント。
【発明の詳細な説明】
【技術分野】
【０００１】
この発明は、少なくとも二つの切削切欠きを備えて多状であって放物線ねじ基礎をもつ自己切削ねじ配列を有する放物線基体と、ねじ込み補助形状孔と歯王冠、ブリッジなどを固定して定着するねじとを備えて並びに球状エノサル部材と場合によっては円錐部材及びキャップ又はいずれか一方を備えるねじ配列に対して冠状に設けられた上部材とを備えるねじ込み可能なエノサル(enossales) 歯科インプラントに関する。
【背景技術】
【０００２】
自己切削ねじをもつねじ込み可能な歯科インプラントは、多様な実施態様で久しい以前から知られている。
【０００３】
例えば、ドイツ特許第３７３５３７８号明細書（特許文献１）から、長手方向に延びた円筒状基体から成り、そのねじが下部材に緩く円錐状に延びている係留装置をもつ歯科インプラントが知られている。ここでは、外方に延びる開口が設けられ、この開口にインプラントの設置後に骨組織が成長し得て、それはより良い保持力を導く。インプラントの上部材には、内ねじを備えた孔が設けられ、それによって、例えばねじを備えた骨、ねじ或いはセメントではめ込み可能な義歯のような種々のアダプタが収容され得る。さらに、ねじ込み工具用の形状孔に延びている面取りされた壁面が設けられている。
【０００４】
さらに、ドイツ実用新案第２００２２４２０号明細書（特許文献２）とドイツ実用新案第２０００４５２６号明細書（特許文献３）から、切削辺をもつ円錐状インプラントは公知であり、その冠状端には長い領域にわたり先端におけるより大きく同じままである直径を有する。自己切削ねじが使用され、溝によって少なくとも一つの部分領域で中断されているので、切削辺が形成される。円筒状ねじ部分を介して冠状方向に結合部分が接続しており、入れ歯を備えるチャックを捩じれ確実に保持する形状要素を有する。
【０００５】
ドイツ特許出願公開第３７０８６３８号明細書（特許文献４）に基づいて歯科医目的のさらに自己切削ねじ可能な骨インプラントでは、ねじ部材は円錐状であり、しかし、そのねじは円筒状に延びていて切削面とキー状断面を備えている。ねじ面は異なる面角度を有する。インプラント基体の上部材には、内ねじが設けられ、その内ねじには内部六角辺が接続する。
【０００６】
最終的に国際出願公開第０１／２１０９１号明細書（特許文献５）から、ねじ状エノサル歯科インプラントは先端に設置したインプラント尖端，冠状に延びるインプラントネックと頂点としてのインプラント尖端をもつ実質的に放物線外形を有する外ねじを備えるものが知られている。
【０００７】
示された先行技術により知られた歯科インプラントは、その幾何学的形状に基づいて設置過程中顎骨への圧縮力の思わしくない分布を奏する。その作用を上領域に完全に終了するために、インプラントの頸部部分が円筒状に保持され、この際にほんの僅かな圧縮の不足によって閉鎖問題とそれに伴う感染危険とが生じ得る。さらに、切削切欠きがしばしば僅かな寸法にされているので、インプラントを骨にねじ込む際に十分な削り屑の搬出が行われず、主要な回転確保が与えられない。しばしば、ねじ面は、インプラントが骨内に十分な保持のないという結果によって僅かな寸法にされている。
【特許文献１】ドイツ特許第３７３５３７８号明細書
【特許文献２】ドイツ実用新案第２００２２４２０号明細書
【特許文献３】ドイツ実用新案第２０００４５２６号明細書
【特許文献４】ドイツ特許出願公開第３７０８６３８号明細書
【特許文献５】国際出願公開第０１／２１０９１号明細書
【発明の開示】
【発明が解決しようとする課題】
【０００８】
この発明の課題は、先行技術の欠点を取り除き、その直径が先端から冠側へ比例しなく増加し、その下部材がねじ込み過程中に自己中心合わせて作用し、顎骨へ作用する圧縮力が増加するねじ込み深さにより不規則に零になり、エノサル領域内の確実な閉鎖が達成される前記種類のねじ込み可能なエノサル歯科インプラントを提供することである。
【課題を解決するための手段】
【０００９】
この発明によると、この課題は、・上部材が円筒状に形成されてねじに対して冠状に磨かれたネック部分を有し、・骨侵入を阻止する冠側屋根部内の溝配列を有し、・基体におけるねじ配列が放物線Ｐ３、Ｐ４により、ねじ尖端が放物線Ｐ１、Ｐ２により限定されるので、ねじ配列が先端から冠側へ人目につかない取り除きねじ深さにより延びており、この際にねじ配列が上部材にまで達しており、・ねじ配列のねじ面は２０度のねじ角度を有し、・基体から球状エノサル部材までの移行部が丸く形成され、そして・切削切欠きは基体の直径の１／３のそれぞれ一つ最大深さと切削切欠き間のそれぞれ残留するねじ配列の幅と少なくとも同じ幅を有することによって、解決される。
【発明の効果】
【００１０】
この発明の利点は、下部材による歯科インプラントの設置過程中に自己心合せが行われることにある。上方に自然に弱くなる顎骨への横圧縮力の分布と作用はこの関係に適合し、エノサル部分ではほぼ零に達成し、この際に理論的隣接が保証されて、それにより確実な閉鎖と病原菌の侵入による感染の回避がさらに達成されて、それは再び確実に治療処理を奏する。
【００１１】
円筒状上部材内の磨かれたネック部分は、インプラントの挿入後に粘膜が十分に刺激のなくインプラントに隣接するので、治療処理が加速され、例えば歯肉炎症が防止される。修正されたネック部分は歯肉の良好な軟らか組織付加を保証する。
【００１２】
若干の公知の歯科インプラントでは、中間空間が上部材と基体のねじ配列の間に存在する。この発明によると、この中間空間が回避されるので、ねじ配列がねじ面のほぼ変更されてない横断面幾何学では、つまり、目立った先細なしに直接に上部材にまで達する。力強いねじは基体の全長にわたり利用されるので、歯科インプラントがしっかりと骨に係留されて、それにより一次的安定性が改良され、インプラントの骨への貫流範囲が応力のないままである。
【００１３】
基体とねじ尖端における放物線の経過は、ねじにシステム特性を与えられ、即ち基体の放物線がねじ基礎の放物線に交差しない。これは、自在フライスが同じインプラント直径の際に使用され得るので、歯科インプラントのフライス工具の能率化を可能とする。さらに、これによって基体はすばやく実施され得る。
【００１４】
さらに、切削切欠きの寸法はより良い持ち込み性、インプラントの挿入の際の最適削り屑設置やより良い削り屑搬出と確実な一次と二次回転保護を奏する。目的にかなって、少なくとも三つの切削切欠きは先端から少なくとも第５ねじ路にまで到達される。
【００１５】
最終的に基体から球状エノサル部材までの丸くなった移行部は、インプラントの骨、特に上顎横歯領域への侵入の際に負傷危険の減少を奏する。
【００１６】
この発明の別の構成によると、上部材はおよそ２ｍｍの高さを有し、この際に磨かれたネック部分は円筒状上部材ではおよそ０．７５ｍｍの高さを有する。
【００１７】
歯科インプラントの別の構成によると、上部材の中央には、円筒状孔が設けられ、先端への方向にねじにより開始し、６０度斜角面をもつ内部六角辺への冠側にて終了する。
【００１８】
さらに、フランジは閉鎖部として上部材に形成され、円錐部材が特に内部六角辺とねじを持つ孔とで上部材に接続する。この円錐部材は収容部として、フランジは固定ねじにより固定され得るキャップ用設置部として用いられる。円錐部材は切欠かれて、収容するキャップ用回転保護を提供することである。
【００１９】
前述に上げられて次に説明する特徴事項はそれぞれ組合せにおいてばかりではなく、他の組合せにも使用できることがわかる。この発明の範囲は請求項によって定義されたものばかりではない。
【発明を実施するための最良の形態】
【００２０】
この発明は、次の詳細な説明で、図面に示される実施例に基づいて詳細に説明される。
【００２１】
図１乃至図６によるこの発明による歯科インプラントは、先端から冠側へ先細になる基体２から成り、この基体は多条に形成され得る先端から冠側へ自己切削非対称ねじ３を備え、実質的に同じまま、或いは人目につかない取り除きねじ深さを備える。ねじ横断面は不均一な三角形を形成し、そのねじ角度が２０度の値になる。ねじ高さとそれによるねじ３は放物線Ｐ１、Ｐ２並びにＰ３、Ｐ４により包囲されて、その対称軸線が基体２の軸線であり、より良く具体的に説明するために、デカルト座標システムのＹ軸線である。
【００２２】
放物線Ｐ３とＰ４の好ましい選択は基体２におけるねじ配列を奏し、この際に放物線Ｐ１とＰ２はねじ尖端を限定する。放物線Ｐ１とＰ２は歯科インプラント１の範囲の外部に図１に図示されるように、交差点を形成する。それによってねじ配列は先端から冠側へ延びる。ねじ３はねじのない上面処理上部材４にまで達成し、上部材はねじ配列に対して冠状に基体２に接続する。
【００２３】
上部材４は円筒状に形成され、放物線に適合した形状を有しなく、ねじ３に対して冠状に水平に磨かれたネック部分５を有する。この上部材４は特に 1．２５ｍｍの高さｂを有し、磨かれたネック部分５は特に０．７５ｍｍの高さａを有する。上部材４の高さ範囲ｂには、これは貫流範囲の皮質を保護する多数の循環溝６を有する。
【００２４】
円筒状上部材４には、図２により頂上へ延びるねじ８をもつ円筒状孔７が設けられ、基体２にまで形成される。孔７は６０度の斜角面１０に延びる内部六角辺９を備えている。上部材４の上閉鎖部は平らに削られている。これはインプラントと構成の間の密度を保証する。同時に、この全幾何学によって雑多の構成部材の確実な適合が可能であり、それは内部六角辺９によって回転に逆らって確保されて、動力や形状の一体的な結合が生じる。
【００２５】
先端端には、基体２が球状エノサル部材１１に移行し、この場合に基体２から球状エノサル部材１１への移行部が丸くなっている。この球状エノサル部材１１は大きな半径をもつ円アーチによって或いは楕円アーチによって形成される。三つの好ましい１２０度だけずれた切削切欠き１２は球状エノサル部材１１から先端への方向に少なくとも五つのねじ路にわたり延びる。切削切欠き１２はそれぞれ基体２の直径の１／３の最大深さと、切削切欠き１２間のそれぞれ残留するねじ配列の幅と少なくとも同じ大きさである幅とを有する。
【００２６】
基体２はチタンから成り、最適な治療時間を達成するために、表面完全化に加えて或いは引いて処理される。図３と４に基づく別の実施例の場合に、歯肉貫通領域内の円筒状上部材はフランジ１３により閉じられ、フランジには冠状におよそ６度の円錐勾配の円錐部材１４が接続し、好ましは図５と６に基づく束に着座するキャップ１６を確実に固定して係留するねじと内部六角辺を備えている。ねじ８をもつ中央孔７は図４により上部材４と円錐部材１４の領域にある。フランジ１３は円錐状部材９上に固定しているキャップ１６の正確な縁閉鎖部に用いられる。この際に空所１５がキャップ１６の回転保持に用いられる。
【００２７】
図５と６に基づく歯科インプラントの実施態様の場合には、キャップ１６は図示されていないウエブ結合の主要要素として利用できる。キャップ１６は冠状に短縮されて、中央咬合ねじ込みにより、例えば固定ねじによって確実に固定され得る。キャップ１６は主として条件的に取り外し可能な義歯の意味における義歯連結部に用いられ、その義歯連結部はインプラントとのウエブ或いは円錐結合を介して機能的ユニットを形成する。特別の状況において、個別王冠も、咬合によりねじ込みでき、この王冠に歯科インプラントが固定される。この場合に空所１５は王冠の回転保持に用いられる。
【００２８】
この発明による歯科インプラントの作用態様は、次のようである：
公知の形式で、例えば歯科ドリルによって設置すべき歯科インプラント１の開口が顎骨に設けられた後に、その挿入が行われる。このために、基体２が案内されたねじ工具により顎開口にねじ込まれる。この場合に先端部に設けられた切削切欠き１２は美しい切断とさらに回転に対する保持とを可能とする。歯科インプラント１の放物線円筒状形状は心合わせてして、円筒状に幅広げた王冠受けにスムーズに押し込まれる。同時に非常に良い主要安定性における僅かな王冠摩耗は歯科インプラント１の良い骨集成の結果と仮定である。先端に丸くなったエノサル部材１１は上顎横歯領域への歯科インプラント１の充填の際に、特に骨高さの減少された際や間接と直接空洞リフトの必要の際に顎中空膜の保護に用いられる。
【００２９】
円筒状上部材４内の基体２の放物線経過によって、最も少ない圧縮力は設置孔の上領域にて有効になるので、エノサル流出が確実に密封される。通過確実に図示されて保持ピンを備える円錐状キャップ１６はさらに王冠台として使用されて、歯色材料（合成樹脂或いはセラミック）により被覆される。
【図面の簡単な説明】
【００３０】
【図１】第一実施態様に基づくこの発明による歯科インプラントの正面図を示す。
【図２】図１による歯科インプラントの断面図を示す。
【図３】第二実施態様に基づく歯科インプラントの正面図を示す。
【図４】図３による歯科インプラントの断面図を示す。
【図５】第三実施態様に基づく歯科インプラントの正面図を示す。
【図６】図５による歯科インプラントの断面図を示す。
【符号の説明】
【００３１】
１．．．．．歯科インプラント
２．．．．．基体
３．．．．．ねじ配列のねじ
４．．．．．上部材
５．．．．．ネック部分
６．．．．．溝
７．．．．．孔
８．．．．．ねじ
９．．．．．内部六角辺
１０．．．．斜角面
１１．．．．エノサル部材
１２．．．．切削切欠き
１３．．．．フランジ
１４．．．．円錐部材
１５．．．．空所
１６．．．．キャップ  
【図１】
2007531604.tif 000003
【図２】
2007531604.tif 000004
【図３】
2007531604.tif 000005
【図４】
2007531604.tif 000006
【図５】
2007531604.tif 000007
【図６】
2007531604.tif 000008
【国際調査報告】
2007531604.tif 000009
2007531604.tif 000010
2007531604.tif 000011
2007531604.tif 000012
2007531604.tif 000013
2007531604.tif 000014